(57)【要約】【課題】ネジなどの部材を使わず、かつ奥行きの狭いスペース内でも容易に基板の着脱ができる構造を備えた遊技機を提供する。【解決手段】支持面８５ａ及び発光基板７６の何れか一方に形成され、同方向に向いた係合爪部１７１ａ〜１７５ｃと、係合爪部１７１ａ〜１７１ｃを受け入れた状態で係合爪部１７１ａ〜１７１ｃに対し支持面８５ａ方向に相対移動したとき、係合爪部１７１ａ〜１７１ｃに係合して発光基板７６を正規位置に位置決めするように支持面８５ａ及び発光基板７６の他方に形成された係合穴部１６１ａ〜１６１ｃと、係合穴部１６１ａ〜１６１ｃへの係合爪部１７１ａ〜１７１ｃの挿通状態で発光基板７６が正規位置に移動したとき、正規位置にて発光基板７６の背面７６ｂを係止する係止手段とを有する装着手段により、容易に基板の着脱ができるようになる。【選択図】図６
2007229281.tif 000002
【特許請求の範囲】
【請求項１】
遊技球を受けるステージ及び演出用照明を行う照明装置を有するユニット役物を遊技盤に備え、該遊技盤の遊技領域に遊技球を打ち出して遊技してなる遊技機において、
前記照明装置は、複数の発光体が実装された発光基板と、該発光基板を前記ユニット役物の本体側に支持する支持面と、前記発光基板を該支持面への正規位置に装着する装着手段と、を有し、
前記装着手段は、
前記支持面及び前記発光基板の何れか一方に形成され且つ同方向に向いた少なくとも２つの係合爪部と、
該係合爪部を受け入れた状態で該係合爪部に対し前記支持面の上下方向に相対移動したとき該係合爪部に係合して前記発光基板を前記正規位置に位置決めするように前記支持面及び前記発光基板の他方に形成された少なくとも２つの係合穴部と、
該係合穴部への前記係合爪部の挿通状態で前記発光基板が前記正規位置に移動したとき該正規位置にて前記発光基板の背面を係止する係止手段と、を有してなる、
ことを特徴とする遊技機。
【請求項２】
前記係止手段は、前記支持面及び前記発光基板の何れか一方に形成された少なくとも１つの弾性係合突起と、前記発光基板が前記正規位置に到達するとき前記弾性係合突起を受け入れて係合するように前記支持面及び前記発光基板の他方に形成された少なくとも１つの嵌合部と、を有してなる、
請求項１記載の遊技機。
【発明の詳細な説明】
【技術分野】
【０００１】
本発明は、パチンコ機等の遊技機に係り、詳しくは、複数の発光体を実装した発光基板の取付構造に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技盤下部のアウト口に流入するように構成されたものが知られている。
【０００３】
このようなパチンコ機では、一般入賞口に入球した際にそれに対応した個数の遊技球が払い出され、また始動チャッカーに入球した際にはこれに基づいて大当たり抽選が行われると共に所定数の遊技球が払い出され、当該抽選の結果に応じて、遊技盤の中央部分に設けられた液晶等の画像表示装置の画面上で所定の演出表示が行われる。大当たりの発生時には、アタッカーと呼ばれる大入賞口が開放し、入球に対応して多量の遊技球が払い出される状態となる。
【０００４】
上述のような従来のパチンコ機において、発光体の発光度合いを変化させたり、色彩を変化させたりして、大当たり抽選結果に絡めた演出において、発光体を使って行っているものがある。これらの発光体を実装している基板は薄くて脆弱なものが多く、パチンコ機に搭載する際や交換する際、基板を壊してしまう虞があった。こういった背景から、基板の着脱を容易に行うことができ、しかも電気的装置に取り付けている接続部材が不意に外れるなどの虞を低減することが可能なものが存在する（例えば、特許文献１参照）。
【０００５】
【特許文献１】特開２００６−０３４８５３号公報
【発明の開示】
【発明が解決しようとする課題】
【０００６】
しかしながら、上記特許文献１に記載されるようなパチンコ機では、ネジなどの部材を使わずに基板の着脱が可能であるものの、着脱時に基板を所定の角度に回動させたりする手間がかかっていた。また、基板をパチンコ機本体に対して垂直な方向に立てた状態から下方に回動させて装着する必要があり、奥行きの広いスペース内でなければ基板を収納し辛いという不都合があった。
【０００７】
そこで本発明は、ネジなどの部材を使わず、かつ基板自体を回動させる等で奥行きの広いスペースを必要とすることなく、奥行きの狭いスペース内でも容易に着脱ができ、装着時は堅く係合することにより容易には外れることのない機構を構成し、もって上述した課題を解決した遊技機を提供することを目的とするものである。
【課題を解決するための手段】
【０００８】
請求項１に係る本発明は（例えば図１ないし図１２参照）、遊技球（Ｂａ）を受けるステージ（Ｓ）及び演出用照明を行う照明装置（１１５）を有するユニット役物（２３）を遊技盤（３）に備え、該遊技盤（３）の遊技領域（３ａ）に遊技球を打ち出して遊技してなる遊技機（１）において、
前記照明装置（１１５）は、複数の発光体（７６ａ）が実装された発光基板（７６）と、該発光基板（７６）を前記ユニット役物（２３）の本体（２３ｂ）側に支持する支持面（８５ａ）と、前記発光基板（７６）を該支持面（８５ａ）への正規位置（例えば図９（ａ），（ｂ）の位置状態）に装着する装着手段（１７１ａ，１７１ｂ，１７１ｃ、１６１ａ，１６１ｂ，１６１ｃ、１７２ａ，１７２ｂ，１７２ｃ、１６２ａ，１６２ｂ，１６２ｃ）と、を有し、
前記装着手段は、
前記支持面（８５ａ）及び前記発光基板（７６）の何れか一方に形成され且つ同方向に向いた少なくとも２つの係合爪部（例えば、図５では１７１ａ，１７１ｂ，１７１ｃ）と、
該係合爪部（１７１ａ，１７１ｂ，１７１ｃ）を受け入れた状態（図８（ａ），（ｂ）の状態）で該係合爪部（１７１ａ，１７１ｂ，１７１ｃ）に対し前記支持面（８５ａ）の上下方向に相対移動したとき該係合爪部（１７１ａ，１７１ｂ，１７１ｃ）に係合して前記発光基板（７６）を前記正規位置（図９（ａ），（ｂ）の状態）に位置決めするように前記支持面（８５ａ）及び前記発光基板（７６）の他方に形成された少なくとも２つの係合穴部（例えば、図６では１６１ａ，１６１ｂ，１６１ｃ）と、
該係合穴部（１６１ａ，１６１ｂ，１６１ｃ）への前記係合爪部（１７１ａ，１７１ｂ，１７１ｃ）の挿通状態（図８（ａ），（ｂ）の状態から更に同図右方へ押し込んだ状態）で前記発光基板（７６）が前記正規位置（図９（ａ），（ｂ）の状態）に移動したとき該正規位置（図９（ａ），（ｂ）の状態）にて前記発光基板（７６）の背面（７６ｂ）を係止する係止手段（１７２ａ，１７２ｂ，１７２ｃ、１６２ａ，１６２ｂ，１６２ｃ）と、を有してなる、
ことを特徴とする遊技機（１）にある。
【０００９】
請求項２に係る本発明は（例えば図１ないし図１２参照）、前記係止手段が、前記支持面（８５ａ）及び前記発光基板（７６）の何れか一方に形成された少なくとも１つの弾性係合突起（例えば、図５では１７２ａ，１７２ｂ，１７２ｃ）と、前記発光基板（７６）が前記正規位置（図９（ａ），（ｂ）の状態）に到達するとき前記弾性係合突起（１７２ａ，１７２ｂ，１７２ｃ）を受け入れて係合するように前記支持面（８５ａ）及び前記発光基板（７６）の他方に形成された少なくとも１つの嵌合部（１６２ａ，１６２ｂ，１６２ｃ）と、を有してなる、
請求項１記載の遊技機（１）にある。
【００１０】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１１】
請求項１に係る本発明によると、装着手段が、支持面及び前記発光基板の何れか一方に形成され同方向に向いた少なくとも２つの係合爪部と、該係合爪部に係合して発光基板を正規位置に位置決めするように支持面及び発光基板の他方に形成された少なくとも２つの係合穴部と、係合穴部への係合爪部の挿通状態で発光基板が正規位置に移動したとき正規位置にて発光基板の背面を係止する係止手段とを有してなるので、ネジなどの部材を使わず、部品点数を削減してコスト低減を図ることができると共に、基板自体をユニット役物本体に対して回動させる等の手間のかかる操作を不要にし、基板を支持面に係止するだけで容易に着脱することができる。また、発光基板を支持面の上下方向に相対移動（例えば、発光基板を支持面に対して平行移動(面方向にスライド)）させることにより、奥行きの狭いスペース内においても容易に着脱操作を行うことができ、また、装着時には堅く係合することにより外れにくくすることができる。
【００１２】
請求項２に係る本発明によると、係止手段は、支持面及び発光基板の何れか一方に形成された少なくとも１つの弾性係合突起と、発光基板が正規位置に到達するとき、弾性係合突起を受け入れて係合するように支持面及び発光基板の他方に形成された少なくとも１つの嵌合部とを有するので、一度嵌合すると堅く係合を保持し、簡単に外れることを阻止する一方、所定の操作で両者の係合を解除することにより容易に基板を支持面から取り外すことができる。これにより、例えば開発者が、開発段階で試験により何度も基板を取り換えたりする際もその操作を容易に行うことができ、開発工程を滞らせることなく円滑に進めることができる。
【発明を実施するための最良の形態】
【００１３】
以下、本発明に係る遊技機の実施の形態として、遊技場等に設置されるパチンコ機を図面に沿って説明する。図１は、本実施形態におけるパチンコ機の外部構造を示す正面図、図２は本パチンコ機に備えた遊技盤を単体で示す正面図である。なお、後述する各実施の形態では、本発明の遊技機を所謂１種１種のパチンコ機として述べるが、本発明はこれに限らず、他の種別のパチンコ機にも適用可能であることは勿論である。
【００１４】
本実施形態のパチンコ機１は、図１に示すように、発射ハンドル２の操作による発射装置（図示せず）の作動で遊技球（所謂パチンコ玉）を遊技盤３の遊技領域３ａに向かって打ち出しつつ遊技を行うもので、所謂確率変動等の大当たりが発生した状態でセンターアタッカー４又は右アタッカー５に入球した遊技球に対応する数の遊技球を払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。なお、本実施の形態において、後述する第１及び第２抽選手段８３，８４それぞれの抽選で得られる大当たりは、出玉の多い第１大当たりでの確変当たり態様と通常当たり態様、及び、出玉の少ない第２大当たりでの確変当たり態様と通常当たり態様のいずれかである。
【００１５】
本パチンコ機１は、開口を有する枠体状の筐体６と、この筐体６に開閉可能に装着された前扉７とを有しており、前扉７の前面には、透明ガラス９を有するガラス枠１０が開閉可能に取り付けられている。透明ガラス９の奥側には、遊技盤３が配設されている。前扉７における遊技盤３の左右には演出用照明装置１１が配設されており、前扉７における遊技盤３の上方及び下方左右にはスピーカー（図示せず）を有する放音装置１２が配設されている。また、ガラス枠１０における右側部には、前扉７を筐体６側に施錠又は解放するための施錠装置１３が配設されている。なお、筐体６及び前扉７等から遊技機本体が構成されている。
【００１６】
前扉７における遊技盤３の下方には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及びプリペイドカード返却ボタン１９ｂが設けられている。皿ユニット１６には、該皿ユニット１６上の遊技球を発射装置（図示せず）付近から皿ユニット下部の球排出口（図示せず）を通して下方に排出するための第１球抜きボタン２０ａと、皿ユニット１６上の遊技球を球供給口１７付近から上記球排出口を通して下方に排出するための第２球抜きボタン２０ｂとが設けられている。
【００１７】
また、皿ユニット１６の右部には、発射装置（図示せず）を操作して遊技球を遊技領域３ａに向けて打ち出すための発射ハンドル２が配設されている。更に、皿ユニット１６の左下方には灰皿２１、及び遊技者参加ボタン（所謂チャンスボタン）２２が配設されている。なお、図１中の符号１４は、発射ハンドル２の操作で発射された遊技球を遊技領域３ａに導くガイドレールを示している。
【００１８】
図１及び図２に示すように、遊技領域３ａの中央部にはセンター飾り（ユニット役物）２３が配置されており、該センター飾り２３の中央部には開口部３６が形成され、該開口部３６の下側にはステージＳが形成されている。遊技盤３の中央部には、少なくとも上記開口部３６より大きい不図示の開口部が形成されており、この開口部にその前後から遊技盤３を挟んで互いに接合するようにして、上記センター飾り２３が、予め設定された基準位置に位置決めされた状態で装着されている。また遊技領域３ａには、全体としてセンター飾り２３の左側に位置する遊技球の第１流下経路５６ａと、センター飾り２３の右側に位置する遊技球の第２流下経路５６ｂとが形成されている。
【００１９】
遊技盤３には、画像表示装置３５が、開口部３６から画面３５ａを露出させた状態で遊技盤裏側から装着されている。センター飾り２３の下部左方には、大当たり抽選に寄与しない一般の入賞が行われる三連の入賞口２５が配設されており、センター飾り２３の下方には、第１始動チャッカー２７とセンターアタッカー４とが順次配設されている。第１始動チャッカー２７の直上方には、所謂命釘としての一対の障害釘３０が打ち込まれている。センターアタッカー４の左右には、特別図柄表示装置２４及び状態表示装置２９がそれぞれ配設されている。特別図柄表示装置２４の上部には、４個のＬＥＤ（発光体）からなる大当たり抽選保留表示装置２４ａが配置されている。
【００２０】
センターアタッカー４の下方には、発射ハンドル２の操作で遊技領域３ａに打ち出された遊技球を遊技盤３の裏面に排出するためのアウト口６６が設けられている。上記入賞口２５及びセンターアタッカー４は、主に第１流下経路５６ａを流下してくる遊技球を入賞させる配置となっている。センターアタッカー４の前方には、センターアタッカー４の開閉扉４ａ（図３参照）から所定距離離れるように半透明カバー３２が配置されており、右アタッカー５の前方には、右アタッカー５の開閉扉５ａ（図３参照）から所定距離離れるように半透明カバー３４が配置されている。また、センター飾り２３は、第１流下経路５６ａを流下してくる遊技球を導入してステージＳに導き入れるワープ導入口３７を有しており、このワープ導入口３７を臨む位置には、上下一対の障害釘３９が打ち込まれている。
【００２１】
一方、第２流下経路５６ｂ側には、遊技領域３ａの上下方向の中央部に、普通図柄抽選の契機となる入球が行われる普通図柄作動ゲート３３が配設されており、該普通図柄作動ゲート３３の下方には、大当たり抽選に寄与しない一般の入賞が行われる１つの入賞口２６が配設されている。第２流下経路５６ｂの経路に沿った入賞口２６の左下方には、第２始動チャッカー２８が配設されており、該第２始動チャッカー２８の左下方には、第２始動チャッカー２８への入賞に基づいて行われた大当たり抽選に当選した際に開放する右アタッカー５が配設されている。
【００２２】
第１及び第２始動チャッカー２７，２８は、それぞれ大当たり抽選実行の契機となり得る入賞が行われるものであり、このうち第２始動チャッカー２８は、始動チャッカー開閉ソレノイド６９（図１２参照）によって、開放位置と閉止位置とに開閉動作するように作動させられる。第２始動チャッカー２８は開閉式作動入賞部（所謂チューリップ）として形成されており、第１始動チャッカー２７は、開閉式作動入賞部ではない非作動な入賞口として形成されている。
【００２３】
センターアタッカー４及び右アタッカー５は、それぞれ大当たり抽選で当選した際に入賞が行われるものであり、センターアタッカー４はセンターアタッカー開閉ソレノイド７０（図１２参照）によって、また右アタッカー５は右アタッカー開閉ソレノイド７１（図１２参照）によって、開放位置と閉止位置とに開閉動作するように作動させられる。そして、センターアタッカー４は、第１始動チャッカー２７への入賞に基づいて第１抽選手段８３で行われた大当たり抽選で当選した際に上記開閉動作を行い、右アタッカー５は、第２始動チャッカー２８への入賞に基づいて第２抽選手段８４で行われた大当たり抽選で当選した際に上記開閉動作を行う。センターアタッカー４は、大当たり中、遊技球を入賞させる際、１回の開放で９個の入球（即ち、９カウント）を完了した時点で閉じ、この開閉動作を１５回（即ち、１５ラウンド）繰り返すように構成される。右アタッカー５は、大当たり中、遊技球を入賞させる際、１回の開放で９個の入球を完了した時点で閉じ、この開閉動作を７回（即ち、７ラウンド）繰り返すように構成される。なお、これらカウント数及びラウンド数は、９個や１５回、７回に限定されることはなく、必要に応じて適宜設定され得るものである。
【００２４】
遊技領域３ａにおけるセンター飾り２３の下方には、ステージＳから零れた遊技球や、発射されてからステージＳに関与せずに落下してくる遊技球を適宜散らし、或いは入球に導くようにするための障害釘３０を含む多数の障害釘が打ち込まれている。また、ワープ導入口３７の周囲及びその上方側にも、遊技球を適宜散らし、或いは入球に導くようにするための障害釘３９を含む多数の障害釘が打ち込まれている。このような本パチンコ機１では、遊技領域３ａに打ち出された遊技球Ｂａを第１及び第２始動チャッカー２７，２８等に、ステージＳを介して入球させ又はステージＳを介さず直接入球させ得るように遊技が進められる。
【００２５】
なお、本実施形態における「ワープ導入」という語句は、遊技領域３ａに打ち出された遊技球を、当該遊技領域３ａの比較的下側に位置する不図示の道釘等を経ることなく、第１始動チャッカー２７の上に導くことを意味する概念である。また、上記「道釘」とは、遊技領域３ａにおいて第１始動チャッカー２７左右に打ち込まれた複数本の障害釘（図示せず）の列を意味するもので、上方から転動落下してきた遊技球を第１始動チャッカー２７方向に導く役割を担っている。
【００２６】
次に、センター飾り２３の構造について図３を参照して詳細に説明する。図３は、遊技盤を右斜め上方から見下ろした状態で示す斜視図である。なお、図３では、図１ないし図３に記載した障害釘３０，３９は便宜上、図示を省略している。
【００２７】
すなわち、図３に示すように、センター飾り２３は、開口部３６（図１参照）を中央部に有する略筒状の前枠体２３ａと、遊技盤３の前面側に固定された該前枠体２３ａに対して遊技盤３を介して背面側から位置決め固定された後枠体（ユニット役物の本体）２３ｂと、を有しており、前枠体２３ａの周囲に、その複数箇所から外方に張り出すように形成されたブラケット部８を有している。それぞれのブラケット部８には、上記した各枠体２３ａ，２３ｂを遊技盤３に埋め込んだ形でネジ止めするために表裏貫通した孔８ａが形成されている。
【００２８】
センター飾り２３は、開口部３６の上方に照明装置３１を有し、開口部３６の左右内側に照明装置１１５（図１参照）を有し、開口部３６下方のステージＳ周辺に照明装置１１６（図１参照）を有している。照明装置３１は、複数のＬＥＤ１１７ａを実装した発光基板１１７からの光を、前枠体２３ａに設けられる光拡散部（いわゆるレンズ）を通して遊技盤３前面へと照射する。なお、図１ないし図３においては、該光拡散部を不図示とし、背面側に位置する発光基板１１７を透過して見せるように記載している。
【００２９】
また、照明装置１１５、例えば図１の紙面右側に示す照明装置１１５は、後枠体２３ｂに設けられた発光基板７６（図４(a)参照）に実装されたＬＥＤ７６ａ（図４(a)参照）からの光を、前枠体２３ａに設けられている拡散用のシボ加工が施された光拡散部１１５ａ（図１参照）を通して、開口部３６内方や遊技盤３前面側へと照射する。図１の紙面左側に示す照明装置１１５は、後枠体２３ｂに設けられた不図示の発光基板に実装されたＬＥＤ（図示せず）からの光を、右側の上記照明装置１１５と同様の光拡散部１１５ａを通して、開口部３６内方や遊技盤３の前面側へと照射する。また、照明装置１１６は、同じく後枠体２３ｂに設けられた不図示の発光基板からの光を、前枠体２３ａに設けられている透明な光透過部１１６ａ（図１参照）を通してステージＳ中央部から遊技盤３前面側へと照射する。このように、センター飾り２３に設けられた照明装置１１５，１１６は、前枠体２３ａと後枠体２３ｂとが遊技盤３の前面及び背面から組み付けられることにより、それぞれが一体となった照明装置として構成される。
【００３０】
センター飾り２３は、その下部中央に放出口６７を有している。該放出口６７は、第１始動チャッカー２７の直上方に位置して、放出されて落下する遊技球Ｂａが一対の障害釘３０の間を通って第１始動チャッカー２７にほぼ確実に（つまり、９７〜９９％の高確率で）入賞し得るように位置決め形成されている。
【００３１】
また、センター飾り２３は、開口部３６の上部左右に延びるように設けられた上段レール９８（図４参照）と、開口部３６の略々中段部の左右に退避した状態で固定された第１中段レール７９（図４参照）と、該第１中段レール７９に対して進退自在（摺動自在）に設けられた第２中段レール７７（図１０参照）と、上段レール９８及び各中段レール７７，７９にそれぞれ上部と下部を摺動可能に支持されて、画像表示装置３５の画面３５ａの下側を空けた状態で開口部３６の前側を左右方向にスライド移動するように支持された吹き出し部材６３，６４と、サブタイトル等が表面に記載された状態で内部に多数のＬＥＤ６５ｂ（図４参照）を有する演出用照明パネル６５と、を有している。吹き出し部材６３，６４は、それぞれ画面３５ａに表示されるキャラクタの発する台詞（セリフ）等が遊技者側から視認可能となるように透明パネルを嵌め込んだ形に構成されている。
【００３２】
センター飾り２３における開口部３６の下部に配置されたステージＳには、ワープ導入口３７から導入された遊技球を第１始動チャッカー２７に向けて落下させるための放出口６７を有している。ステージＳは、ワープ導入口３７から導入されて放出口４４から放出された遊技球を、該ステージＳにおける図３の紙面の左上側から右下側に案内する第１案内路４８と、該第１案内路４８の中央部に設けられた太鼓橋状ブリッジ４９と、該太鼓橋状ブリッジ４９を右側に通過した遊技球をステージＳの後側に導く第２案内路５７と、該第２案内路５７に導かれた遊技球を放出口６７と該放出口６７とは異なる方向に振り分ける振り分け路（図示せず）と、太鼓橋状ブリッジ４９の下方に設けられた上記光透過部１１６ａと、を有している。センター飾り２３の左側には、ワープ導入口３７から導入した遊技球を放出口４４に案内する案内路４２が形成されている。
【００３３】
第１案内路４８上における太鼓橋状ブリッジ４９の左右には、ステージＳ前側に向かって左右にやや広がる形で下降する形状の凹部５４，５４が形成されている。右側の凹部５４の更に右側には、太鼓橋状ブリッジ４９を通過した遊技球を第２案内路５７側に導くための凹部５５が形成されている。第２案内路５７には、凹部５５から導入された遊技球を太鼓橋状ブリッジ４９の下方に導いて、放出口６７に連通する落下孔５８に落下させる導入溝（図示せず）と、該導入溝の左右に形成されて遊技球を第１始動チャッカー２７とは異なる方向に導く方向の傾斜面６１に導く導入溝（図示せず）とが形成されている。これら導入溝によって上記振り分け路が構成されている。
【００３４】
ステージＳにおける上記傾斜面６１の前側には、ステージＳから第１始動チャッカー２７の左右に落下させるための傾斜湾曲面６２，６２が形成されている。放出口６７の上部は、左右の傾斜湾曲面６２，６２から上方にせり上がるように形成されると共に、このせり上がり部分の中央には、ステージＳ上にありながら落下孔５８に落下せず、傾斜湾曲面６２，６２にも導かれなかった遊技球を案内して、第１始動チャッカー２７に向けて落下させるガイド溝６０が形成されている。このガイド溝６０も放出口６７と同様に、放出されて落下する遊技球Ｂａが障害釘３０の間を通って第１始動チャッカー２７にほぼ確実に（つまり、９７〜９９％の高確率で）入賞し得るように位置決め形成されている。
【００３５】
ついで、センター飾り２３の後部を形成する後枠体２３ｂについて、図１０を参照して説明する。なお、同図は、遊技盤３に配設された状態における後枠体２３ｂを背面側から見た状態で示す背面図であり、装着したセンター飾り２３の配置構造を理解し易くするため、センター飾り２３の背面側に本来装備される画像表示装置３５やサブ制御基板３８等は図示を省略している。また、図１０における遊技盤３を仮想線（二点鎖線）で記載することにより、該遊技盤３前面に配設される右アタッカー５等の主だった装置と後枠体２３ｂとの位置関係を視認可能にしている。
【００３６】
後枠体２３ｂは、図１０の正面視において外形が略々矩形形状を呈しており、該後枠体２３ｂの背面をなす背面部１０４（図１０の紙面手前側）の周縁には、紙面奥行き方向に向かう外周壁部材１０３が垂設されている。さらに、この外周壁部材１０３の前面側左右には、それぞれ外側に張り出す張出し部１０２が形成されることにより、後枠体２３ｂは平面断面視においてハット形（プレス加工の曲げ型の１つで、例えばシルクハットを縦に剪断したような形状）を呈するものとなっている。
【００３７】
背面部１０４には、矩形状の開口部１０５が設けられ、前述した前枠体２３ａの開口部３６と前後方向に重なり合うことにより、設置時における画像表示装置３５の画面を露出させる。ここで、後枠体２３ｂの大きさは、その幅において遊技盤３の略々左右端部まで達し、上下高さ方向にあっては遊技領域３ａの高さにおける半分以上の長さを有することによって、前枠体２３ａを略々覆い隠すものとなっている。
【００３８】
一方、後枠体２３ｂの前面四隅、つまり左右の張出し部１０２におけるそれぞれの上部及び下部には、前方（図１０の紙面奥側）に向かう不図示の突起部が形成され、さらに該張出し部１０２には１２箇所のネジ挿入孔１０２ａが左右対向する位置にそれぞれ対をなすように配設されている。これにより、後枠体２３ｂは、その組み付けの際、上記突起部が遊技盤３の背面に設けられた不図示の凹部に係合されることで位置決めされ、その後ネジ挿入孔１０２ａがそれぞれネジ止めされることによって遊技盤３の背面に堅固に固着される。
【００３９】
上記ネジ挿入孔１０２ａは、張出し部１０２の最前部（図１０の奥側）をなし且つネジ挿入孔１０２ａ近傍を囲う程度の狭小な平面部１０６に形成されている。この平面部１０６の外周縁には、図１０の紙面手前方向に向かう壁部材１０７が形成され、さらに張出し部１０２にはこの壁部材１０７同士が一続きとなるような壁部が配設され、該張出し部１０２を複数に仕切ってなる箱型領域１０８が配設されている。ここで、背面部１０４の左右に垂設されている外周壁部材１０３は、上記箱型領域１０８の一部の壁面をなしつつ背面部１０４へと一続きに形成されている。そして、この箱型領域１０８の背面側からは、該外周壁部材１０３に向かって三角形状のリブ部１０９が形成され、後枠体２３ｂにおける左右部の強度向上が図られるものとなっている。
【００４０】
また、背面部１０４の背面には、格子形状を呈するリブ部１１０が全面に亘って形成され、該背面部１０４の下部前面側には、その下端から一続きに形成されている外周壁部材１０３に向かって三角形状のリブ部１１３が形成されている。そして、背面部１０４のリブ部１１０上には、画像表示装置３５の荷重を支え得る強度を有した固定用突起１１１が、該画像表示装置３５に貫通形成されたネジ止め孔（不図示）と対向する位置の４箇所に突出形成されている。
【００４１】
背面部１０４の領域ＡＲ内に水平に設けられているリブ部１１０は、他のリブ部１１０に比して高さが低く形成されている。これによって、パチンコ機１の完成時におけるリブ部１１０上方には間隙が形成され、該間隙内にはセンター飾り２３に搭載される各種装置に係るハーネスが引き回される。該ハーネスは領域ＡＲ内に設けられた鈎針状の爪部１１２に通すように引き回され、散乱しないように結束される。
【００４２】
一方、後枠体２３ｂ上部には、吹き出し部材６３をスライド駆動するモータＭ１と、吹き出し部材６４をスライド駆動するモータＭ２と、演出用照明パネル６５をスライド駆動するモータＭ３とがそれぞれの回転軸（図示せず）を前面側に向けて配設されている。これら各モータＭ１，Ｍ２，Ｍ３は、それぞれ遊技中の演出における所定の契機にて、後述する演出制御手段９１からの信号を受け、各回転軸からギヤ列（図示せず）を介して回転を伝達し、吹き出し部材６３，６４、演出用照明パネル６５をスライド駆動させるものである。図１０では、吹き出し部材６３，６４及び演出用照明パネル６５が、モータＭ１，Ｍ２，Ｍ３の回動により上部左右レール９８を伝って中央部に引き出され、それぞれが開口部３６に対して最大限に進出した状態で示されている。このとき、照明パネル６５は、被ガイド部材７８が第１中段レール７９を伝って摺動し、上記進出した状態で支持され、吹き出し部材６４は、被ガイド部材９３が第２中段レール７７を伝って摺動し、上記進出した状態にて支持されている。
【００４３】
ついで、吹き出し部材６３，６４及び演出用照明パネル６５の支持構造について、図４及び図１０を参照して説明する。なお、図４（ａ）は、遊技盤３から取り外した状態で示す後枠体２３ｂの正面図、図４（ｂ）は、第１中段レールのカバー部材と左右レールとを取り外した状態で示す後枠体の正面図である。
【００４４】
図４（ａ），（ｂ）及び図１０に示すように、後枠体２３ｂは、センター飾り２３の全体における開口部３６（図１参照）に対応する開口部９９を有しており、この開口部３６，９９の上縁部９９ａには、その長手方向に延びるように上段レール９８が設けられ、開口部３６，９９における下縁部９９ｂと上縁部９９ａとの間には、該開口部３６，９９の左右方向に延びるように第１中段レール７９，９６及び第２中段レール７７が設けられている。第１中段レール７９，９６は、開口部３６，９９の左右幅方向の一側に固定配置されており、第２中段レール７７は、第１中段レール７９に対して進退動作するように支持されている。吹き出し部材６３，６４及び演出用照明パネル６５は、画面３５ａを、吹き出し部材６３，６４及び演出用照明パネル６５より下側を含む開口部３６，９９の全域から露出するように、上記レール７７，７９，９６，９８によってスライド自在に支持されている。
【００４５】
つまり、演出用照明パネル６５は、上段レール９８の右レール９８ｂによって上部を摺動自在に支持されると共に、第１中段レール７９によって下部を摺動自在に支持されており、吹き出し部材６３は、上段レール９８の左レール９８ａによって上部を摺動自在に支持されると共に、第１中段レール９６によって下部を摺動自在に支持されている。吹き出し部材６４は、上段レール９８の右レール９８ｂによって上部を摺動自在に支持されると共に、第２中段レール７７によって下部を摺動自在に支持されている。
【００４６】
また、第２中段レール７７における図１０の紙面左方には第１中段レール７９に摺動自在に係合する被ガイド部材７８が設けられており、吹き出し部材６４における図１０の紙面左方には第２中段レール７７に摺動自在に係合する被ガイド部材９３が設けられている。更に、図４（ｂ）に示すように、吹き出し部材６３における同図左方には第１中段レール９６に摺動自在に係合する被ガイド部材９５が設けられている。この被ガイド部材９５は、同図における前側に屈曲して突出する突出部９５ａと、該突出部９５ａにおける右端部の前端から下方に鉤状に屈曲して第１中段レール９６に摺動自在に係合する鉤部９５ｂと、突出部９５ａにおける左端部の前端から下方に鉤状に屈曲し且つ前方のカバー部材１００の裏面に弾性的に摺接してガタを吸収する板バネ部９５ｃと、を有している。また、演出用照明パネル６５の下部に備えた被ガイド部材７８にも、板バネ部９５ｃと同様の板バネ部７８ｃが設けられており、演出用照明パネル６５は、この板バネ部７８ｃをその前方のカバー部材８５の裏面に弾性的に摺接させることで、スライド移動時のガタを吸収する。また、図示は省略するが、吹き出し部材６４の下部に備えた被ガイド部材９３にも、板バネ部９５ｃと同様の板バネ部が設けられており、この板バネ部を第２中段レール７７に弾性的に摺接させることで、演出用照明パネル６５に対するスライド移動時のガタを吸収する。
【００４７】
上述した演出用照明パネル６５及び吹き出し部材６３は、開口部３６，９９の左右幅方向の一側（演出用照明パネル６５の場合は図４の右側、吹き出し部材６３の場合は図４の左側）から画面３５ａの前側に向けて進出し又は該一側に向けて退避するように構成されている。また吹き出し部材６４は、開口部３６，９９の左右幅方向の一側（図４の右側）から画面３５ａの前側に向けて進出し又は該一側に向けて退避するように構成されている。吹き出し部材６３，６４は、それぞれ、背面側に位置する画像表示装置３５の画面３５ａに表示されるキャラクタの台詞（セリフ）を視認可能に区画する透明パネル部６３ａ，６４ａを有している。演出用照明パネル６５は、サブタイトルを表示する表示部６５ａを有している。
【００４８】
上記左レール９８ａ及び右レール９８ｂは、それぞれ合成樹脂等のカバー部材から構成されており、カバー部材からなる左レール９８ａの内部には、吹き出し部材６３の上部に固定された被案内部材１５４と、該被案内部材１５４から連続するように一体形成されたラック１５５と、が摺動自在に収容されている。また、カバー部材からなる右レール９８ｂの内部には、演出用照明パネル６５の上部に固定された被案内部材１５８と、該被案内部材１５８から連続するように一体形成されたラック１５９と、が摺動自在に収容されている。更に、右レール９８ｂの内部におけるラック１５９の奥側には、吹き出し部材６４の上部に固定された被案内部材１５６と、該被案内部材１５６から連続するように一体形成されたラック１５７と、が摺動自在に収容されている。
【００４９】
上記被案内部材１５４，１５６，１５８及び上記ラック１５５，１５７，１５９は、それぞれ後枠体２３ｂの左右幅方向に延在するように形成されている。後枠体２３ｂの上部におけるラック１５５に対向する位置には、該ラック１５５とでラックアンドピニオン(rack and pinion)を構成するピニオン１５１が噛合するように配置され、該ピニオン１５１の奥側には、該ピニオン１５１を回転させるモータＭ１が配置されている。後枠体２３ｂの上部におけるラック１５７に対向する位置には、該ラック１５７とでラックアンドピニオンを構成するピニオン１５２が噛合するように配置され、該ピニオン１５２の奥側には、該ピニオン１５２を回転させるモータＭ２が配置されている。後枠体２３ｂの上部におけるラック１５９に対向する位置には、該ラック１５９とでラックアンドピニオンを構成するピニオン１５３が噛合するように配置され、該ピニオン１５３の奥側には、該ピニオン１５３を回転させるモータＭ３が配置されている。
【００５０】
ここで、本発明の特徴である照明装置１１５における支持面８５ａ及び該支持面８５ａに装着し得る発光基板７６について図５ないし図９を参照して説明する。図５は、発光基板を係合し得る支持面を拡大して示す斜視図、図６は、支持面に発光基板を嵌合した状態を示す斜視図、図７（ａ）は、発光基板を係合し得る支持面を単体で示す図、同図（ｂ）は、発光基板を単体で示す図である。図８（ａ）は、発光基板を支持面に挿通した状態を示す図、同図（ｂ）は、図８（ａ）のＡ−Ａ線に沿って断面した状態で示す発光基板と支持面の断面図、同図（ｃ）は、図８（ａ）のＢ−Ｂ線に沿って断面した状態で示す発光基板と支持面の断面図、図９（ａ）は、発光基板を支持面に係止した状態を示す図、同図（ｂ）は、図９（ａ）のＣ−Ｃ線に沿って断面した状態で示す発光基板と支持面の断面図、同図（ｃ）は、図９（ａ）のＤ−Ｄ線に沿って断面した状態で示す発光基板と支持面の断面図である。
【００５１】
すなわち、照明装置１１５は、発光基板７６と、支持面８５ａと、発光基板７６を支持面８５ａへの正規位置に装着する装着手段と、を備えている。図５及び図７（ａ）に示すように、支持面８５ａは、後枠体２３ｂの右側前面に設けられた上述のカバー部材８５の表面に形成されており、該支持面８５ａには、センター飾り２３の本体側、即ち、後枠体２３ｂ側に発光基板７６を支持し得るように、同方向に向いた係合爪部１７１ａ，１７１ｂ，１７１ｃと、弾性係合突起１７２ａ，１７２ｂ，１７２ｃとを備えている。これら係合爪部１７１ａ〜１７１ｃ及び弾性係合突起１７２ａ〜１７２ｃは、それぞれ支持面８５ａの左右幅方向の中央部における上下方向にて互いに一定の距離をあけた状態で設けられている。また支持面８５ａにおける弾性係合突起１７２ａと１７２ｃとの間には、係合爪部１７１ａ等と同様のＬ字形状に形成されて、発光基板７６の突出部７６ｃ（図７(b)参照）を係合する係合爪部１７４が設けられている。更に、支持面８５ａには、発光基板７６の一側部７６ｄ（図７(b)参照）を沿わせて位置決めを行う支持壁１７３が、係合爪部１７４の下部から下方に向かって延びるように形成されている。
【００５２】
係合爪部１７１ａ，１７１ｂ，１７１ｃは、支持面８５ａの上下方向の直線状一列に位置し、それぞれ支持面８５ａから所定距離（即ち、発光基板７６の厚みを吸収し得る距離）だけ垂直に立ち上がった後、上方に向かって屈曲した鉤状（Ｌ字形状）に形成されている。弾性係合突起１７２ａ，１７２ｂ，１７２ｃは、それぞれ係合爪部１７１ａ，１７１ｂ，１７１ｃに隣接して支持面８５ａの上下方向の直線状一列に位置するように、枠部１７６の切り込みによって形成されている板ばね部１７５ａ，１７５ｂ，１７５ｃの内方に突出形成されている。板ばね部１７５ａ，１７５ｂ，１７５ｃは、発光基板７６を支持面８５ａに装着する際の圧力により後枠体２３ｂ側に凹む（撓む）。そして、弾性係合突起１７２ａ，１７２ｂ，１７２ｃは、板ばね部１７５ａ，１７５ｂ，１７５ｃの弾性により支持面８５ａの厚み方向に変位するように構成されており、後述の嵌合部１６２ａ，１６２ｂ，１６２ｃと嵌合する際は、弾性係合突起１７２ａ，１７２ｂ，１７２ｃの弾性変形により嵌合する。
【００５３】
また、図６に示すように、発光基板７６は、複数のＬＥＤ７６ａを実装して有しており、支持面８５ａに装着させ、不図示の接続ケーブル（ハーネス）を接続することで電気的接続が可能となる。そして、図７（ｂ）に示すように、発光基板７６は、支持面８５ａに着脱し得るように、係合穴部１６１ａ，１６１ｂ，１６１ｃと、嵌合部１６２ａ，１６２ｂ，１６１ｃとを有している。
【００５４】
係合穴部１６１ａ，１６１ｂ，１６１ｃは、係合爪部１７１ａ，１７１ｂ，１７１ｃを挿通し得るように、発光基板７６の左右幅方向の中央部における上下方向にて互いに一定の距離（係合爪部１７１ａ〜１７１ｃ側と同じ距離）をあけた状態で設けられている。また、嵌合部１６２ａ，１６２ｂ，１６２ｃは、表裏貫通した矩形孔状に形成されており、弾性係合突起１７２ａ，１７２ｂ，１７２ｃを嵌合し得るように、発光基板７６の左右幅方向の右側部における上下方向にて互いに一定の距離（係合穴部１６１ａ〜１６１ｃ側と同じ距離）をあけた状態で設けられている。
【００５５】
なお、係合爪部１７１ａ〜１７１ｃと、係合穴部１６１ａ〜１６１ｃと、弾性係合突起１７２ａ〜１７２ｃ及び嵌合部１６２ａ〜１６２ｃからなる係止手段とによって、本発明の装着手段が構成されている。
【００５６】
発光基板７６を支持面８５ａに装着する際は、まず、発光基板７６を支持面８５ａの下方から上方（又は上方から下方）にスライドさせて、図８（ａ），（ｂ），（ｃ）に示すように、発光基板の係合穴部１６１ａ，１６１ｂ，１６１ｃを、支持面８５ａの係合爪部１７１ａ，１７１ｂ，１７１ｃに位置を合わせて挿通する。更にこの状態から、発光基板７６を支持面８５ａに対して下降させると、発光基板７６の背面７６ｂで押圧される弾性係合突起１７２ａ〜１７２ｃが支持面８５ａの裏面側に撓みつつ、図９（ａ），（ｂ）に示す正規位置に到達して嵌合部１６２ａ〜１６２ｃに位置が合致した時点で、弾性係合突起１７２ａ，１７２ｂ，１７２ｃが板ばね部１７５，１７５ｂ，１７５ｃの弾性復元力で突出し、図９（ｃ）に示すように、、発光基板７６の嵌合部１６２ａ，１６２ｂ，１６２ｃに嵌合する。これにより、発光基板７６は、支持面８５ａの正規位置に正確に且つ確実に位置決め固定される。
【００５７】
そして、発光基板７６を取り外す際は、嵌合状態の弾性係合突起１７２ａ，１７２ｂ，１７２ｃを、例えば鉛筆や細いドライバのような先が尖鋭されたもので触突して、嵌合部１６２ａ，１６２ｂ，１６２ｃとの嵌合を外す。この際、弾性係合突起１７２ａ，１７２ｂ，１７２ｃは、板ばね部１７５，１７５ｂ，１７５ｃによる弾性を有するので、軽く押圧するだけで容易に外すことができる。
【００５８】
従って、発光基板７６を面方向にスライド（つまり、支持面８５ａに対して平行移動）させるという狭いスペースの中での相対移動で、容易に装着ができ、取り外す際も弾性係合突起１７２ａ，１７２ｂ，１７２ｃを押圧するのみで容易に外すことができる。これにより、多くのＬＥＤを使用し、かつ複合試験も多数行わなければならないパチンコ機開発にとっては、煩雑な工程を少しでも減らすことができ、有効的に開発を進めることができる。
【００５９】
なお、本実施の形態では、支持面８５ａに備えられた係合爪部、発光基板７６に供えられた係合穴部をそれぞれ３つずつ設けているが、例えばそれらの中間に同様の部分を設け、４つずつとしても、５つずつとしても略々同様の機能を備えることができ、これにより、係合度合いをより強くすることができる。一方、係合度合いは若干弱くなるが、それぞれ２つずつとしても十分な機能を果たすことができる。また、支持面８５ａに備えられた弾性係合突起、発光基板７６に備えられた嵌合部をそれぞれ３つずつ設けているが、１つずつでも２つずつでも係合を維持することが可能であり、３つずつにすることでより係合を堅く維持することができる。更に、例えばそれらの中間に各部材を設け、４つずつとしても５つずつとしてもよい。これにより、係合度合いをより強くすることができるようになる。
【００６０】
また、本実施の形態では、支持面８５ａに係合爪部及び弾性係合突起を、発光基板７６に係合穴部及び嵌合部をそれぞれ設けているが、支持面８５ａに係合穴部及び嵌合部を、発光基板７６に係合爪部及び弾性係合突起をそれぞれ設けてもよい。又は、支持面８５ａに係合爪部及び嵌合部を、発光基板７６に係合穴部及び弾性係合突起をそれぞれ設けてもよい。或いは、支持面８５ａに係合穴部及び弾性係合突起を、発光基板７６に係合爪部及び嵌合部をそれぞれ設けてもよく、それらどの場合にも、係合を良好に維持するという同様の効果を期待できる。
【００６１】
また、本実施の形態では、嵌合部１６２ａ，１６２ｂ，１６２ｃは、表裏貫通した矩形孔状に形成されているが、貫通されず凹状のものでも、弾性係合突起１７２ａ，１７２ｂ，１７２ｃとの嵌合が可能である。
【００６２】
ついで、本パチンコ機１の背面構造について図１１を参照して説明する。同図は、本パチンコ機１の背面構造を示す背面図である。
【００６３】
すなわち、図１１に示すように、パチンコ機１の前扉背面における上部左方には、賞球タンク４３が取り付けられており、この賞球タンク４３の下方に、サブ制御基板３８、主制御基板４０、及び払出し制御基板５１がこの順に配設されている。また、前扉背面における上部右方には、外部端子板５２が取り付けられており、この外部端子板５２の下方に、整列待機通路４５、賞球装置４６、賞球排出通路４７、電源ユニット４１、及び発射装置（図示せず）用の発射制御基板５３がこの順に配設されている。パチンコ機１の前扉背面における左側部には、施錠装置１３が配設されている。
【００６４】
次に、本実施形態におけるパチンコ機１の制御系を図１２に沿って説明する。なお、同図は本パチンコ機の制御系を示すブロック図である。
【００６５】
すなわち、本制御系は、遊技制御装置８０と、該遊技制御装置８０に電気的に接続された、始動チャッカー開閉ソレノイド６９、センターアタッカー開閉ソレノイド７０、右アタッカー開閉ソレノイド７１、放音装置１２、演出用照明装置１１、画像表示装置３５、賞球装置４６、モータＭ１〜Ｍ３、及び演出用照明パネル６５と、を備えている。
【００６６】
遊技制御装置８０は、図１１に示した主制御基板４０やサブ制御基板３８等から構成されている。主制御基板４０は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、サブ制御基板３８は、主に画像表示、効果音等の演出、効果光等の表示制御を行うように構成されている。
【００６７】
遊技制御装置８０は、入賞判定手段８１、入賞信号出力手段８２、第１抽選手段８３、第２抽選手段８４、普通図柄抽選手段９４、遊技制御手段８６、保留手段８７、作動制御手段８８、作動判定手段８９、作動決定手段９０、演出制御手段９１、及び表示制御手段９２を備えている。
【００６８】
入賞判定手段８１は、発射ハンドル２の操作で作動する発射装置（図示せず）によって遊技領域３ａに打ち出された遊技球が第１及び第２始動チャッカー２７，２８、入賞口２５，２６、センターアタッカー４、右アタッカー５等の何れかに入賞したとき、当該入賞があった旨を判定する。
【００６９】
入賞信号出力手段８２は、入賞判定手段８１によって入賞が判定されたとき、対応する第１及び第２始動チャッカー２７，２８、入賞口２５，２６、センターアタッカー４、右アタッカー５等に入賞した旨の入賞信号を出力する。
【００７０】
第１抽選手段８３は、入賞信号出力手段８２からの第１始動チャッカー２７に対応する入賞信号の入力時、第２抽選手段８４側との合計の最大保留球数（例えば４個）未満での入賞を契機として、第１大当たり（ビッグボーナス）及び第２大当たり（レギュラーボーナス）を含む各種大当たりの何れかに当選するように、不図示の抽選用メモリから当たり当選乱数値を取得して大当たり抽選を実行する。また第２抽選手段８４は、入賞信号出力手段８２からの第２始動チャッカー２８に対応する入賞信号の入力時、第１抽選手段８３側との合計の最大保留球数（例えば４個）未満での入賞を契機として、第１大当たり及び第２大当たりを含む各種大当たりの何れかに当選するように、不図示の抽選用メモリから当たり当選乱数値を取得して大当たり抽選を実行する。本実施形態では、第１及び第２抽選手段８３，８４のいずれかで第１大当たりに当選した場合、作動制御手段８８の制御で作動する右アタッカー開閉ソレノイド７１によって右アタッカー５が、１回の開放で９個の入球（即ち９カウント）を完了した時点で閉じ、この開閉を１５回（１５ラウンド）繰り返すように動作させられる。一方、抽選手段８３，８４のいずれかで第２大当たりに当選した場合、作動制御手段８８の制御で作動するセンターアタッカー開閉ソレノイド７０によってセンターアタッカー４が、１回の開放で９個の入球（即ち、９カウント）を完了した時点で閉じ、この開閉を７回（即ち７ラウンド）繰り返すように動作させられる。
【００７１】
そして第１及び第２抽選手段８３，８４は、それぞれ、大当たり抽選で第１大当たりに当選した場合には、不図示の演出用メモリに格納された演出乱数値に基づく抽選で、変動の結果、「３３３」や「７７７」等の図柄が画面３５ａ上の大当たり有効ライン上で最終的に揃う旨の変動パターンを決定し、その旨の変動パターン信号を出力する。なお、上記「大当たり有効ライン」は、大当たりを得るため図柄が一列に並ぶべき位置（ライン）を意味する。また第１及び第２抽選手段８３，８４は、それぞれ、大当たり抽選で第２大当たりに当選した場合には、演出乱数値に基づく抽選で、変動の結果、「２２２」や「４４４」等の図柄が大当たり有効ライン上で最終的に揃う旨の変動パターンを決定し、その旨の変動パターン信号を出力する。更に第１及び第２抽選手段８３，８４は、それぞれ、大当たり抽選で外れた場合には、演出乱数値に基づく抽選で、変動の結果、外れに対応する「２５８」や「１８６」等の図柄が大当たり有効ライン上で最終的に揃う旨の変動パターンを決定し、その旨の変動パターン信号を出力する。
【００７２】
普通図柄抽選手段９４は、第２始動チャッカー２８を開閉動作させるか否かの普通図柄抽選を、この普通図柄抽選の保留球数（例えば４個）の範囲内で、普通図柄作動ゲート３２への入球を契機として実行する。
【００７３】
遊技制御手段８６は、放音装置１２、演出用照明装置１１、演出用照明パネル６５、及びモータＭ１〜Ｍ３に放音、発光、スライド駆動等の演出をさせる契機となる指令を、演出制御手段９１に送る。また、遊技制御手段８６は、予め設定された演出データや、第１及び第２抽選手段８３，８４での抽選結果に応じて、画像表示装置３５の画面３５ａに表示すべき大当たり抽選に関連する演出内容に関する信号を表示制御手段９２に送る。
【００７４】
保留手段８７は、第１、第２抽選手段８３，８４のいずれかから出力された変動パターン信号を入力し、変動パターンを、第１、第２始動チャッカー２７，２８への入賞の都度に行われた抽選の結果となる保留球として順次記憶する。当該記憶状況は、特別図柄表示装置２４の大当たり抽選保留表示装置２４ａに、始動チャッカー２７，２８双方での合計が最大４個の保留球となるように点灯表示される。保留手段８７は、合計の保留球数が４個になっているか否かを常時判定し、保留球数が４個表示されている間は、第１、第２始動チャッカー２７，２８への入賞に拘わらず大当たり抽選は行わない。なお、保留球として点灯表示される保留球数は上記「最大４個」に限らず、例えば３個以下、又は５個以上として適宜設定することも可能である。
【００７５】
そして保留手段８７は、保留（記憶）している変動パターンに係る信号を順次出力し、その変動パターン信号に基づく演出表示が終了するまでは次の変動パターン信号を出力しないようにするための図柄変動禁止フラグを立てる（オンする）と共に、当該オンした図柄変動禁止フラグを解除する時間を計測するための図柄変動タイマ（図示せず）をセットし、変動パターン信号の出力に応じて保留球数を１デクリメントする。また保留手段８７は、保留球の消費に応じて保留球数が４個未満となった場合、第１、第２抽選手段８３，８４で行われる第１、第２始動チャッカー２７，２８への入賞に応答した大当たり抽選の結果を保留球として記憶し、保留球数を１インクリメントする。
【００７６】
作動制御手段８８は、作動決定手段９０の作動開始決定の旨の信号に基づき、始動チャッカー開閉ソレノイド６９に駆動信号を送って該ソレノイド６９を作動させ、第２始動チャッカー２８を開閉動作させる。作動制御手段８８は、第１大当たりに当選した場合に、右アタッカー開閉ソレノイド７１に駆動信号を送り、右アタッカー５を１５ラウンドだけ開閉動作させるように制御する。また作動制御手段８８は、第２大当たりに当選した場合に、センターアタッカー開閉ソレノイド７０に駆動信号を送り、センターアタッカー４を７ラウンドだけ開閉動作させるように制御する。更に作動制御手段８８は、第１始動チャッカー２７、第２始動チャッカー２８、入賞口２５，２６、センターアタッカー４、右アタッカー５に入賞した旨の入賞信号を入賞信号出力手段８２から受けた場合、それぞれの入賞に対応する賞球数となるように賞球装置４６を作動制御する。
【００７７】
作動判定手段８９は、始動チャッカー開閉ソレノイド６９、センターアタッカー開閉ソレノイド７０、右アタッカー開閉ソレノイド７１を作動させるための条件を満たすか否かを判定する。つまり、始動チャッカー開閉ソレノイド６９にあって、第２始動チャッカー２８の開閉の「条件を満たす」時とは、普通図柄抽選手段９４での普通図柄抽選で当選した場合である。アタッカー開閉ソレノイド７０，７１のそれぞれにあって、アタッカー４，５の開放の「条件を満たす」時とは、所謂リーチ（所謂スーパーリーチ、ノーマルリーチを含む）の状態から３つの同じ図柄が大当たり有効ライン上で揃って大当たりが発生した場合であり、閉塞の「条件を満たす」時とは、大当たり発生時の全てのラウンドにおける入賞を完了した場合である。
【００７８】
作動決定手段９０は、作動判定手段８９からの判定信号を受けて、始動チャッカー開閉ソレノイド６９、センターアタッカー開閉ソレノイド７０、右アタッカー開閉ソレノイド７１の作動開始をそれぞれに決定する。
【００７９】
演出制御手段９１は、遊技制御手段８６からの指令に応答して、放音装置１２を放音駆動し、演出用照明装置１１を発光駆動して遊技者の聴覚や視覚に訴える演出を行う。また、演出制御手段９１は、遊技制御手段８６からの指令に応答して、表示制御手段９２の制御で画面３５ａ上に表示される演出内容に対応するようにモータＭ１〜Ｍ３をそれぞれ時計方向又は反時計方向に回転駆動させる。つまり、演出制御手段９１は、画面３５ａ上に表示される、キャラクタ（例えば、本パチンコ機１のテーマに関連した種々の登場人物）が発する台詞（文字列等）を囲んで明確に区画し得るように、当該台詞に対応する位置に正確に吹き出し部材６３，６４を移動／停止するようにモータＭ１〜Ｍ３を作動制御する。その際、演出制御手段９１は、遊技制御手段８６からの指令に応答して、演出用照明パネル６５に備えた多数のＬＥＤ６５ｂを点灯及び／又は点滅させ、画面３５ａ上の表示内容に対応する演出を行う。
【００８０】
表示制御手段９２は、遊技制御手段８６からの信号に従って、画像表示装置３５を駆動し、大当たり抽選結果を中心とした内容等の演出を、遊技者の視覚に訴えるように演出表示する。その際、表示制御手段９２は、第１及び第２抽選手段８３，８４それぞれによる各抽選結果を、遊技制御手段８６からの信号に従い、画像表示装置３５の画面３５ａを２分割した形で各表示領域にそれぞれ時系列的に演出表示し、或いは、双方の表示領域を一体に使用した形で時系列的に演出表示する。
【００８１】
また、始動チャッカー開閉ソレノイド６９は、作動制御手段８８から送信された駆動信号に応答してプランジャ（図示せず）を進退動作させて、第２始動チャッカー２８を開閉動作させる。アタッカー開閉ソレノイド７０，７１は、それぞれ、作動制御手段８８から送信された駆動信号に応答してプランジャ（図示せず）を進退動作させて、アタッカー４，５を開閉動作させる。
【００８２】
放音装置１２は、演出制御手段９１の制御に従ってスピーカー（図示せず）を駆動させ、演出に応じた効果音を発する。演出用照明装置１１は、演出制御手段９１の制御に従ってその内蔵する電飾ランプ（図示せず）を発光駆動（点灯、点滅）させ、演出に応じた照明を行う。画像表示装置３５は、表示制御手段９２の制御に従って作動し、演出データや第１、第２抽選手段８３，８４での抽選結果に応じた演出表示を行う。
【００８３】
賞球装置４６は、作動制御手段８８により作動制御されて、第１始動チャッカー２７、第２始動チャッカー２８、入賞口２５，２６、センターアタッカー４、右アタッカー５それぞれへの入賞に対応する賞球数を供給する。
【００８４】
次に、本パチンコ機１による作用について、図１３のフローチャートを併せて参照しつつ説明する。すなわち、本パチンコ機１に対面して着座した遊技者が発射ハンドル２を握り、適宜の角度に回動操作すると（ステップＳ１）、発射装置の作動で遊技球が所定の時間間隔で遊技領域３ａに向けて連続的に発射される。すると、遊技領域３ａに打ち出されて転動落下する多数の遊技球は、第１、第２始動チャッカー２７，２８や入賞口２５，２６に適時入賞し、或いは、これらに関与せずに転動落下して、遊技領域３ａ最下部のアウト口６６から遊技盤３背面側に排出される。
【００８５】
遊技領域３ａに打ち出された遊技球の一部がワープ導入口３７に入球すると、その遊技球は、案内路４２に案内されて放出口４４から放出され、第１案内路４８、凹部５４、太鼓橋状ブリッジ４９、凹部５４を通って凹部５５に至り、更に第２案内路５７に転動して、太鼓橋状ブリッジ４９下方の上記振り分け路（図示せず）で進路を振り分けられる。その結果、落下孔５８に落下した遊技球は、放出口６７から放出されて、高い入賞確率（略１００％）で第１始動チャッカー２７に入賞する。この遊技球は、殆どの場合、第１始動チャッカー２７に入賞することになるが、障害釘３０への当接状況によっては入賞できないこともある。一方、傾斜面６１側に振り分けられた遊技球は、傾斜湾曲面６２から第１始動チャッカー２７とは異なる方向にステージＳ下方に落下するが、場合によっては、障害釘３０の左右に打ち込まれた所謂ジャンプ釘（図示せず）や、このジャンプ釘から左右方向に配列された道釘（図示せず）で弾き返されることで、障害釘３０に絡んでその間を落下して第１始動チャッカー２７に入賞することもある。
【００８６】
ところで、第１及び第２始動チャッカー２７，２８や入賞口２５，２６の何れかに遊技球が入賞した場合には、入賞判定手段８１が当該入賞を判定し、且つ入賞信号出力手段８２が入賞信号を出力する（ステップＳ２）。この際、保留手段８７は、保留している変動パターンに係る信号を、遊技制御手段８６を介して表示制御手段９２に順次送信し、変動パターン信号の送信に応じて保留球数を１デクリメントする。また保留手段８７は、当該保留球の消費に応じて、第１、第２抽選手段８３，８４で行われる第１及び第２始動チャッカー２７，２８への入賞に応じた大当たり抽選の結果を保留球として記憶し、保留球数を１インクリメントする。
【００８７】
ステップＳ３において、大当たり抽選で当選した場合、第１、第２抽選手段８３，８４のうち該当する側が当たりフラグをオンすると、演出用メモリに格納された演出乱数値に基づく抽選で、大当たりの種別、つまり第１大当たりにおける確変当たり態様か通常当たり態様、或いは、第２大当たりにおける確変当たり態様か通常当たり態様のいずれかに対応する変動パターンが決定される。
【００８８】
これにより、ステップＳ４において、画像表示装置３５に表示されるべき当たり図柄がセットされ、第１抽選手段８３又は第２抽選手段８４は、その旨の変動パターン信号を出力すると共に、当該変動パターン信号に基づく演出表示が終了するまでは次の変動パターン信号を送信しないようにするために図柄変動禁止フラグをオンし、当該オンした図柄変動禁止フラグを解除する時間を計測するための図柄変動タイマをセットし、変動パターン信号の送信に応じて保留球数を１デクリメントする。一方、大当たり抽選で外れた場合には、演出用メモリに格納された演出乱数値に基づく抽選で、変動の結果、外れに対応する図柄が最終的に揃う旨の変動パターンが決定される。これにより、画像表示装置３５に表示される外れ図柄がセットされ、第１抽選手段８３又は第２抽選手段８４は、その旨の変動パターン信号を出力すると共に、図柄変動禁止フラグをオンし、図柄変動タイマをセットし、変動パターン信号の送信に応じて保留球数を１デクリメントする。
【００８９】
以上のようにして、遊技制御手段８６が、画像表示装置３５に表示すべき演出内容に関する信号を、表示制御手段９２に送信することに基づき、表示制御手段９２は、画像表示装置３５を適時駆動し、大当たり抽選結果に関する内容等を、遊技者の視覚に訴えるように演出表示することとなる（ステップＳ５）。
【００９０】
このような演出表示にあって、吹き出し部材６３，６４及び演出用照明パネル６５が、開口部３６，９９の左右から画面３５ａの前側に進退動作するように制御されることで、これら吹き出し部材６３，６４及び演出用照明パネル６５を開口部３６，９９の左右に進退動作させる迫力ある演出が実現する。
【００９１】
そして、画面３５ａ上に表れた抽選結果が大当たり決定である場合、作動制御手段８８は、作動決定手段９０の作動開始決定の旨の信号に基づき、所定のタイミングでセンターアタッカー開閉ソレノイド７０又は右アタッカー開閉ソレノイド７１に駆動信号を送り、当該ソレノイド７０又は７１を作動させてセンターアタッカー４又は右アタッカー５を開放し、所定数入賞が終了する（又は所定時間が経過する）毎に閉塞する動作を所定ラウンドだけ繰り返させる。これにより、センターアタッカー４又は右アタッカー５に入賞した遊技球に対応する多量の遊技球が、球供給口１７から皿ユニット１６に払い出されることとなる（ステップＳ６）。
【００９２】
ところで、パチンコ機にあっては、大当たり抽選に絡めた高度な演出、特に最近ではＬＥＤ等を多く使用した派手な演出により、遊技者に興趣を提供しており、パチンコ機メーカも新しい演出効果提供を競い合うかのように、新機種を市場に供給するサイクルが次第に短くなってきている。従って、古い機種のものをベースとして部品や基板等を使い回したり、交換作業を容易にしたりするようなコスト削減も必要な場合も増えつつある。
【００９３】
そのような状況下にあって、本実施の形態のパチンコ機１によると、発光基板７６を面方向にスライドさせるという、狭いスペースでの相対移動のみで、容易に装着ができ、取り外す際も弾性係合突起１７２ａ，１７２ｂを押圧するのみで容易に外すことができるという極めて有利な作用効果が得られる。これにより、多くのＬＥＤを使用し、かつ複合試験も多数行わなければならないパチンコ機開発にとっては、少しでも煩雑な工程を減らすことができ、有効的に開発を進めることができるようになる。従って、ＬＥＤを使用した演出効果を高めることにも繋がり、派手な演出を求める遊技者に対しても、興趣に富んだ遊技を提供することができる。また、ネジなどの部材を使わず、かつ基板自体を回動させる等の手間をかけることなく、発光基板７６を支持面８５ａにスライドして係止するだけで容易に着脱することができるので、部品点数の少ない構成が得られ、それに伴いコストの削減も期待することができる。
【００９４】
なお、本実施の形態では、センターアタッカー４及び右アタッカー５として２つのアタッカーを備えたパチンコ機１について説明したが、本発明は、このようなパチンコ機に限らず、アタッカーを１つのみ備えたパチンコ機にも適用し得ることは勿論である。
【００９５】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００９６】
【図１】本発明に係る実施形態におけるパチンコ機の外部構造を示す正面図である。
【図２】本パチンコ機に備えた遊技盤を単体で示す正面図である。
【図３】遊技盤を右斜め上方から見下ろした状態で示す斜視図である。
【図４】（ａ）は遊技盤から取り外した状態で示す後枠体の正面図、（ｂ）は第１中段レールのカバー部材と左右レールとを取り外した状態で示す後枠体の正面図である。
【図５】発光基板を係合し得る支持面を拡大して示す斜視図である。
【図６】支持面に発光基板を嵌合した状態を示す斜視図である。
【図７】（ａ）は、発光基板を係合し得る支持面を単体で示す図、同図（ｂ）は、発光基板を単体で示す図である。
【図８】（ａ）は、発光基板を支持面に挿通した状態を示す図、同図（ｂ）は、図８（ａ）のＡ−Ａ線に沿って断面した状態で示す発光基板と支持面の断面図、同図（ｃ）は、図８（ａ）のＢ−Ｂ線に沿って断面した状態で示す発光基板と支持面の断面図である。
【図９】（ａ）は、発光基板を支持面に係止した状態を示す図、同図（ｂ）は、図９（ａ）のＣ−Ｃ線に沿って断面した状態で示す発光基板と支持面の断面図、同図（ｃ）は、図９（ａ）のＤ−Ｄ線に沿って断面した状態で示す発光基板と支持面の断面図である。
【図１０】遊技盤に配設された状態での後枠体を背面側から見た状態で示す背面図である。
【図１１】本パチンコ機の背面構造を示す背面図である。
【図１２】本パチンコ機の制御系を示すブロック図である。
【図１３】本パチンコ機による作用を説明するためのフローチャートである。
【符号の説明】
【００９７】
１        遊技機（パチンコ機）
３        遊技盤
３ａ      遊技領域
２３      ユニット役物（センター飾り）
７６      発光基板
７６ａ    発光体（ＬＥＤ）
７６ｂ    発光基板の背面
８５ａ    支持面
１１５    照明装置
１６１ａ，１６１ｂ，１６１ｃ  装着手段（係合穴部）
１６２ａ，１６２ｂ，１６２ｃ  装着手段、係止手段（嵌合部）
１７１ａ，１７１ｂ，１７１ｃ  装着手段（係合爪部）
１７２ａ，１７２ｂ，１７２ｃ  装着手段、係止手段（弾性係合突起）
Ｂａ      遊技球
Ｓ        ステージ
【図１】
2007229281.tif 000003
【図２】
2007229281.tif 000004
【図３】
2007229281.tif 000005
【図４】
2007229281.tif 000006
【図５】
2007229281.tif 000007
【図６】
2007229281.tif 000008
【図７】
2007229281.tif 000009
【図８】
2007229281.tif 000010
【図９】
2007229281.tif 000011
【図１０】
2007229281.tif 000012
【図１１】
2007229281.tif 000013
【図１２】
2007229281.tif 000014
【図１３】
2007229281.tif 000015